(57)【要約】【課題】コンパクト化を図りつつリターン側ベルトからの剥落物を容易に回収できるようにする。【解決手段】一端部上側に投入口９ｂを設け且つ他端部下方に排出口９ｃを設けたケーシング９内の上部領域に、投入口９ｂより投入される粉粒体１４を排出口９ｃへ搬送するベルトコンベヤ本体１０を設ける。ケーシング９のテール側とヘッド側の両端部に配したチェーンスプロケット２７，２８間におけるアタッチメントチェーン２９の循環移動に伴い、フライト１２をケーシング内底面９ａに沿ってヘッド側へ移動させることができるようにしてあるフライトコンベヤ１１を、ケーシング９内底部に設ける。ベルトコンベア本体１０による粉粒体１４の搬送時にリターン側ベルト１３ｂからケーシング内底面９ａへ落下する剥落物１４ａは、フライトコンベヤ１１のフライト１２によってかき集めさせると同時に排出口９ｃまで移送させる。【選択図】        図１
2004307090.tif 000002
【特許請求の範囲】
【請求項１】
一端側に投入口を備え且つ他端部に排出口を備えたケーシング内の上部領域に、上記投入口より投入される粉粒体を上記排出口へ搬送できるようにしてあるベルトコンベヤ本体を設け、且つ該ベルトコンベヤ本体の下方となる上記ケーシングの長手方向の全長に亘る下部領域に、ケーシング内底面に沿ってフライトを排出口側へ移動させることができるようにしてあるフライトコンベヤを設けて、上記ベルトコンベヤ本体のリターン側ベルト表面よりケーシング内底面へ落下する剥落物を上記フライトコンベヤにより上記排出口へ移送できるようにしてなることを特徴とする粉粒体搬送用ベルトコンベヤ。
【請求項２】
フライトコンベヤを、ケーシングの一端部及び他端部における下部位置にそれぞれ平行に設けた回転軸と、該各回転軸の両端側でベルトコンベヤのリターン側ベルトの幅方向両端部よりも外側となる位置にそれぞれ一体に取り付けたチェーンスプロケットと、上記各回転軸の両端側のチェーンスプロケット間に無端状にそれぞれ掛け回したアタッチメントチェーンと、該各アタッチメントチェーンの周方向所要間隔位置に両端部を取り付けたフライトとからなる構成とした請求項１記載の粉粒体搬送用ベルトコンベヤ。
【請求項３】
ケーシングの内底面における幅方向所要位置に、ケーシングの長手方向に延びるガイドレールを設置し、且つフライトの両端側における上記ガイドレールと対応する位置に、上記ガイドレールに摺接させるため該ガイドレールよりも軟らかい素材製としてある摺動部材を、上記フライトよりも突出させて着脱可能に取り付けた請求項２記載の粉粒体搬送用ベルトコンベヤ。
【発明の詳細な説明】
【０００１】
【発明の属する技術分野】
本発明は粉粒体を飛散させることなく搬送でき、更に、リターン側ベルトより剥がれ落ちる粉粒体の微粉も回収できるようにした粉粒体搬送用ベルトコンベヤに関するものである。
【０００２】
【従来の技術】
ばら荷の状態の搬送対象物を効率よく大量搬送できる搬送手段の１つとしてベルトコンベヤが広く用いられている。
【０００３】
上記ベルトコンベヤのうち、たとえば、搬送対象物を低所位置から高所位置へ搬送するようにしてある傾斜型のベルトコンベヤは、図３にその一例の概略を示す如く、図示しないトラス構造のフレームの長手方向両端部に回転自在に設けたヘッドプーリ１とテールプーリ２間にて循環移動できるようにしてあるコンベヤベルト３を、所望の搬送経路に対応させてヘッド側がテール側よりも高くなるように配置して、上記コンベヤベルト３のテール側端部の上方位置に設けた供給ホッパ５より落下供給させる搬送対象物４を、トラフィック側ベルト３ａの上側に載置させると共に、コンベヤベルト３の循環移動に伴ってヘッド側へ搬送させ、上記コンベヤベルト３がヘッドプーリ１に沿って上下方向に反転するときに、上記搬送された搬送対象物４を自重によりヘッドシュート６へ落下排出させるようにしてある。又、上記のように上下方向を反転させた後もコンベヤベルト３に付着する搬送対象物４は、ベルトクリーナとしての多角形断面の振動ローラ７を、回転駆動させながら上記ヘッドプーリ１の近傍位置のリターン側ベルト３ｂの裏面側（内周面側）に接触させて、該リターン側ベルト３ｂに振動を与えることにより、上記ベルト表面に付着している搬送対象物４をヘッドシュート６へ落下させて回収できるようにしてある。
【０００４】
ところで、廃棄物焼却設備における燃え殻（煤塵）や、その他の粉粒体を搬送対象物としてベルトコンベヤで搬送させると、該粉粒体の微粉のケーク（滓）がコンベヤベルト３の表面に付着して、上記振動ローラ７のようなベルトクリーナでは除去しきれないことがあり、この場合、ベルトクリーナを通過した後のリターン側ベルト３ｂの表面に付着していた粉粒体の微粉のケークが不特定の時点で該リターン側ベルト３ｂの表面から剥れ落ちることがある。
【０００５】
そのため、搬送対象物４として粉粒体を搬送させるために用いるベルトコンベアでは、リターン側ベルト３ｂの表面から剥がれ落ちる粉粒体の微粉のケーク（以下、剥落物と記す）が、下方に配置されている各種機器やフロア上に落下して汚染することを防止できるようにするために、図３に示す如く、コンベヤベルト３の下方位置に、該コンベヤベルト３に沿うよう落下防止板８を設けて、該落下防止板８の上面側に、上記リターン側ベルト３ｂの表面から落下する剥落物を受けられるようにしていた。
【０００６】
このようにコンベヤベルト３の下方位置に落下防止板８を設けた場合、搬送対象物４としての粉粒体の搬送作業に伴って、上記落下防止板８上に、リターン側ベルト３ｂ表面からの剥落物が堆積してゆくようになるので、該剥落物の堆積量が多大になって、落下防止板８上に受けきれずにこぼれ落ちたり、上記落下防止板８上に堆積した剥落物が、リターン側ベルト３ｂや、該リターン側ベルト３ｂを支持するリターンローラ（図示せず）と干渉することのないように、上記落下防止板８上の剥落物は、定期的に除去、清掃する必要が生じていた。
【０００７】
しかし、上記落下防止板８上の剥落物の除去、清掃作業は、走行するコンベヤベルト３の付近にて作業者が手作業で行っていたため、危険性が伴うと共に、定期的に行わなければならないことから、作業者の手間及び時間が嵩むという問題があった。そのために、上記リターン側ベルト３ｂ表面から落下防止板８上に落下する剥落物をより容易に清掃できるようにすることが望まれていた。
【０００８】
このことに鑑みて、コンベアベルトの下方位置に設けてリターン側ベルト３ｂからの剥落物を受ける落下防止板の清掃作業を容易に実施できるようにするための対応手段の１つとしては、ベルトコンベヤのリターン側ベルトに臨む下方位置に幅方向に傾斜した面部を備えた断面形状Ｖ字形あるいは断面形状Ｗ字型の落下防止板を設置して、上記リターン側ベルトより上記落下防止板上に落下する剥落物を、上記落下防止板の傾斜面に沿わせて断面形状の下端位置へ集めることができるようにすると共に、該断面形状の下端位置に、ベルトコンベヤの長手方向に延びるスクリューコンベヤを設けたり、洗浄水を流すことができるようにして、上記落下防止板の断面形状の下端位置へ集められた剥落物を、上記スクリューコンベヤあるいは洗浄水により、ベルトコンベヤの長手方向に搬出させるようにすることが従来提案されている（たとえば、特許文献１参照）。
【０００９】
又、ベルトコンベヤのリターン側ベルト表面からの剥落物の発生自体を防止する手法として、ベルトコンベヤのヘッド側寄り位置の下側に、リターン側ベルトの表面に洗浄水を直接噴射することにより、リターン側ベルトの表面に付着している粉粒体の微粉を予め洗浄、除去させるようにすることも提案されている（たとえば、特許文献２参照）。
【００１０】
更に、ベルトコンベヤのリターン側ベルトの表面から落下する剥落物を回収できるようにするための他の手法としては、ベルトコンベヤの下側に、該ベルトコンベヤに沿う平板状の落下防止板を設けると共に、該落下防止板上にて長手方向方向に沿ってスクレーパを往復移動させることにより、上記落下防止板上に堆積されるリターン側ベルトの表面からの剥落物を、上記スクレーパにより掻き集めて回収させるようにすることも提案されている（たとえば、特許文献３、特許文献４参照）。
【００１１】
なお、従来、鉱石運搬用ベルトコンベアとして用いる上部と下部の２つのベルトコンベヤの乗り継ぎ部に設置する落鉱処理装置として、上部コンベヤのヘッド側端部の下方位置に、フラットな床面を形成し、該床面上に、断面Ｌ字状の複数本のアタッチメントが横架固定される平行な無端チェーンベルトを設けて、該チェーンベルトを循環駆動させることにより上記アタッチメントにより落鉱を下部ベルトコンベヤ上に落とすようにするものが提案されている（たとえば、特許文献５参照）。
【００１２】
【特許文献１】
特開平７−２０６１３９号公報
【特許文献２】
特開平８−２３１０２８号公報
【特許文献３】
実開平６−２３９２８号公報
【特許文献４】
特開平１１−２５５３２３号公報
【特許文献５】
特開昭５０−１４３２８７号公報
【００１３】
【発明が解決しようとする課題】
ところが、上記特許文献１に示されたものでは、落下防止板上に落下する剥落物を、該落下防止板の傾斜面部に沿って断面形状の下端位置へ落下させることができるように、落下防止板の傾斜面部に、水平から５０°程度の傾斜角度を与える必要があり、このため上記断面形状をＶ字形あるいはＷ字形としてある落下防止板の断面形状の高さ寸法が嵩むという問題があり、この落下防止板の断面形状の高さ寸法は、ベルトコンベヤの幅が広くなるに従って増加するため、装置全体が大型化するという問題がある。
【００１４】
又、特許文献１に示されたもののうち、落下防止板上に受けられた剥落物を洗浄水で洗浄する手法や、特許文献２に示されたように、リターン側のベルト表面に付着する粉粒体の微粉を洗浄水により直接洗浄する手法では、いずれも洗浄水の水源が必要になって、ランニングコストが嵩むと共に、洗浄に供した後の洗浄水の後処理が必要になり、この洗浄水の後処理装置の運転のためにもランニングコストが嵩むという問題がある。
【００１５】
又、特許文献３及び４に示された手法は、いずれもベルトコンベヤの下方位置に配した落下防止板上にて、スクレーパをベルトコンベヤの全長に亘り往復移動させるようにしてあることから、該スクレーパは、リターン側ベルトの全長に対応した剥落物を集めることができるように大きな物とする必要があると共に、該スクレーパの往復移動によって集められる剥落物を回収するためには、ベルトコンベヤのヘッド側及びテール側の双方に、上記剥落物の回収部を設けなければならず、これらの回収部にて回収された剥落物を、ベルトコンベヤにより正常に搬送される粉粒体に合流させるための回収機構が別途必要になって装置全体が大型化するという問題もある。
【００１６】
なお、特許文献５に記載されたものは、上部と下部の２つのベルトコンベヤの乗り継ぎ部にて、両者の落差が小さい場合に、上部ベルトコンベヤのヘッドシュートと対応するヘッド側端部領域の下方に落下する落鉱を、下部ベルトコンベヤ上に送ることができるようにするためのものであり、したがって、アタッチメントを横架したチェーンベルトは、ヘッド側端部のみに設けられているものであって、リターン側ベルトの全長における不特定の位置からの剥落物を回収できるようにする考えは全く考慮されていない。
【００１７】
更に、ベルトコンベヤにて粉粒体を搬送対象として搬送する場合には、上記粉粒体の周辺への飛散を防止するために、ベルトコンベヤを密閉化することが望まれるが、上記特許文献５にはベルトコンベヤを密閉化する考えも全く示されていない。
【００１８】
そこで、本発明は、粉粒体を、周囲環境への飛散を防止しながら搬送できると共に、リターン側ベルトからの落剥物も回収することができ、しかもコンパクト化を図ることができる粉粒体搬送用ベルトコンベヤを提供しようとするものである。
【００１９】
【課題を解決するための手段】
本発明は、上記課題を解決するために、一端側に投入口を備え且つ他端部に排出口を備えたケーシング内の上部領域に、上記投入口より投入される粉粒体を上記排出口へ搬送できるようにしてあるベルトコンベヤ本体を設け、且つ該ベルトコンベヤ本体の下方となる上記ケーシングの長手方向の全長に亘る下部領域に、ケーシング内底面に沿ってフライトを排出口側へ移動させることができるようにしてあるフライトコンベヤを設けて、上記ベルトコンベヤ本体のリターン側ベルト表面よりケーシング内底面へ落下する剥落物を上記フライトコンベヤにより上記排出口へ移送できるようにしてなる構成とする。
【００２０】
投入口よりケーシング内に投入される粉粒体は、ベルトコンベヤ本体のトラフィック側ベルトの上面側に受けられた後、該ベルトコンベヤ本体により連続的にヘッド側へ搬送されて、排出口より落下排出される。この際、リターン側ベルトに付着していた上記粉粒体の微粉のケークが、該リターン側ベルトの不特定の位置で剥がれ落ちると、該剥落物は、ケーシングの内底面に受けられるようになる。この場合、フライトコンベヤを運転させると、上記ケーシングの内底面に落下している剥落物は、上記フライトコンベヤのフライトがケーシングの内底面に沿って排出口側へ移動するときに、該フライトによりかき集められると同時にフライトの移動に伴って上記排出口まで移送されて、該排出口より落下排出されるようになる。
【００２１】
又、フライトコンベヤを、ケーシングの一端部及び他端部における下部位置にそれぞれ平行に設けた回転軸と、該各回転軸の両端側でベルトコンベヤのリターン側ベルトの幅方向両端部よりも外側となる位置にそれぞれ一体に取り付けたチェーンスプロケットと、上記各回転軸の両端側のチェーンスプロケット間に無端状にそれぞれ掛け回したアタッチメントチェーンと、該各アタッチメントチェーンの周方向所要間隔位置に両端部を取り付けたフライトとからなる構成とすることにより、ケーシング内底面に沿ってフライトを移動させることができるフライトコンベヤを容易に構成できると共に、ベルトコンベヤのリターン側ベルトより落下する剥落物が、上記フライトコンベヤのフライトを循環移動させるためのアタッチメントチェーン上に落下する虞を抑制できる。
【００２２】
更に、ケーシングの内底面における幅方向所要位置に、ケーシングの長手方向に延びるガイドレールを設置し、且つフライトの両端側における上記ガイドレールと対応する位置に、上記ガイドレールに摺接させるため該ガイドレールよりも軟らかい素材製としてある摺動部材を、上記フライトよりも突出させて着脱可能に取り付けた構成とすることにより、フライトがケーシングの内底面に直接接触、摺動して該フライトやケーシングの内底面が摩耗する虞を防止できる。
【００２３】
【発明の実施の形態】
以下、本発明の実施の形態を図面を参照して説明する。
【００２４】
図１（イ）（ロ）及び図２（イ）（ロ）（ハ）は本発明の粉粒体搬送用ベルトコンベヤの実施の一形態として、低所位置より高所位置へ粉粒体１４を搬送する傾斜型の粉粒体搬送用ベルトコンベヤを示すもので、所要角度で傾斜配置してあるケーシング９の天井側となる上部領域に、該ケーシング９の長手方向の全長に亘るベルトコンベヤ本体１０を収納すると共に、上記ケーシング９の下方となる下部領域に、長手方向のほぼ全長に亘り該ケーシング９の内底面に沿わせてフライト１２を上記ベルトコンベヤ本体１０におけるヘッド側方向へ移動させることができるフライトコンベヤ１１を設けて、上記ベルトコンベヤ本体１０のコンベヤベルト１３のリターン側ベルト１３ｂからケーシング内底面９ａへ落下する粉粒体１４の微粉のケーク（剥落物）１４ａを、上記フライトコンベヤ１１のフライト１２によって上記ベルトコンベヤ本体１０のヘッド側端部まで移送できるようにする。
【００２５】
詳述すると、上記ケーシング９は、長手方向の一端部の上面に投入口９ｂを設けて搬送対象となる粉粒体１４の供給装置１５、たとえば、ホッパの下端部に破砕機を備えた構成等の供給装置１５の下端を気密に接続すると共に、他端部の下面に排出口９ｃを設けてヘッドシュート１６を一体に連通接続してなる構成として、所望の搬送経路に対応させて投入側よりも排出側の方が高くなるように所要角度傾斜させて配置すると共に、図示しない支持部材を介して基礎上に支持固定させるようにしてある。
【００２６】
上記ベルトコンベヤ本体１０は、上記投入口９ｂの下方位置となるケーシング９の長手方向一端部における上部所要位置と、排出口９ｃの上方位置となる他端部における上部所要位置に、対をなすテールプーリ１７とヘッドプーリ１８をそれぞれ配置して、該各プーリ１７と１８の回転軸（図示せず）を上記ケーシング９の側壁部の対応する位置にそれぞれ回転自在に支持させ、該各プーリ１７と１８に、コンベヤベルト１３を無端状に掛け回した構成とする。上記ヘッドプーリ１８の回転軸は一端部をケーシング９の外方へ突出させて、ケーシング９の外部所要位置、たとえば、ケーシング９の上側に設けた支持台１９上に設置してあるモータ等の回転駆動装置２０に、図示しない動力伝達機構を介し連結させ、該回転駆動装置２０から動力伝達機構、回転軸を介し伝達される回転駆動力によりヘッドプーリ１８を回転駆動させることにより、上記コンベヤベルト１３をヘッドプーリ１８とテールプーリ１７との間で循環移動させることができるようにして、上記供給装置１５より投入口９ｂを通してケーシング９内へ投入される粉粒体１４を、上記コンベヤベルト１３のテール側端部におけるトラフィック側ベルト１３ａの上面側に受けた後、該コンベヤベルト１３の循環移動に伴ってヘッド側へ搬送し、コンベヤベルト１３がヘッドプーリ１８に沿って上下方向に反転するときに、上記ヘッド側へ搬送される粉粒体１４を、排出口９ｃを通してヘッドシュート１６へ落下排出させることができるようにしてある。
【００２７】
更に、上記ベルトコンベヤ本体１０は、図３に示したベルトコンベヤと同様に、ヘッド側端部にベルトクリーナ（図示せず）を装備してある。又、トラフィック側では、ケーシング９内の長手方向所要間隔位置に支持部材２１を介して設置してあるトラフ型のキャリアローラ２２によってコンベヤベルト１３を支持させることにより、トラフィック側ベルト１３ａを上面側に粉粒体１４を受け易いボックス形状にできるようにしてあると共に、リターン側では、フラットなローラ２３ａの外周面に螺旋状にワイヤ２３ｂを巻いて形成してなるリターンローラ２３をケーシング９内の長手方向所要間隔位置に支持部材２４を介し設置して、該リターンローラ２３上に上記コンベヤベルト１３を支持させることにより、リターン側ベルト１３ｂの表面と上記リターンローラ２３との接触面積を減らして、該リターンローラ２３との接触によりリターン側ベルト１３ｂの表面に付着している粉粒体１４の微粉が剥がれ落ちることを抑制できるようにしてある。
【００２８】
上記フライトコンベヤ１１は次のような構成としてある。ケーシング９の一端部における下部位置となる上記ベルトコンベヤ本体１０のテールプーリ１７の下方位置と、排出口９ｃに臨むケーシング９の他端部における下部位置に、平行な一対の回転軸２５と２６を配置すると共に、該各回転軸２５と２６の両端部を、ケーシング９の側壁部における対応する位置にそれぞれ回転自在に支持させ、且つ該各回転軸２５及び２６の両端側の２個所、すなわち、上記ベルトコンベヤ本体１０のリターン側ベルト１３ｂの幅方向両端部よりもやや外側となる２個所に、チェーンスプロケット２７，２８をそれぞれ一体に取り付ける。該テール側とヘッド側の各回転軸２５と２６上の対応する側のチェーンスプロケット２７と２８同士に、アタッチメントチェーン２９をそれぞれ無端状に掛け回し、更に、上記テール側回転軸２５の一端部をケーシング９の外側へ突出させ、一方、ケーシング９の一側に取り付けた支持架台３０上にはモータ等の回転駆動装置３１を取り付けて、該回転駆動装置３１の出力軸３１ａに上記回転軸２５を連結し、該回転駆動装置３１により上記テール側回転軸２５とテール側のチェーンスプロケット２７を回転駆動させることにより、上記各アタッチメントチェーン２９を、上記テール側とヘッド側のチェーンスプロケット２７と２８の間にて、下部がトラフィック側、上部がリターン側となるようにケーシングの長手方向のほぼ全長に亘り循環移動させることができるようにする。
【００２９】
更に、図２（イ）（ロ）（ハ）に示す如く、各アタッチメントチェーン２９の周方向所要間隔位置における外周側には、アタッチメントチェーン２９の循環方向（進行方向）と直角にケーシング９の幅方向内法寸法のほぼ全長に亘って延びる断面形状Ｌ字型の金属製のフライト１２を、該フライト１２の一方の平面部が上記アタッチメントチェーン２９の循環方向と直角に外周側へ張り出すようにそれぞれ取り付けて、上記アタッチメントチェーン２９のトラフィック側に取り付けられている各フライト１２の突出端部が、ケーシング内底面９ａにわずかな隙間を隔てた状態で近接できるようにし、これにより、上記アタッチメントチェーン２９の循環移動に伴って、トラフィック側の各フライト１２が、ケーシングの長手方向のほぼ全長に亘り内底面９ａに沿って排出口９ｃの上方位置まで移動できるようにしてある。又、上記各フライト１２の長手方向所要位置、たとえば、該各フライト１２の長手方向におけるアタッチメントチェーン２９への取り付け位置と対応する長手方向の２個所における循環方向前側面部に、後述するガイドレール３４よりも軟らかい素材製、たとえば、ゴム製の摺動部材３２を、上記各フライト１２の突出端部よりもわずかに外周側へ突出するようボルト３３にて着脱可能に取り付けると共に、ケーシング内底面９ａにおける上記各摺動部材３２の取り付け位置と対応する幅方向の２個所に、長手方向に延びるガイドレール３４を設置して、該ガイドレール３４上にて、上記各フライト１２の摺動部材３２をスライドさせることで、上記フライト１２の突出端部とケーシング内底面９ａとの隙間を保持できるようにして、金属製としてある上記フライト１２とケーシング内底面９ａとの直接的な接触、摺動による摩耗を防止できるようにしてある。上記ガイドレール３４上にてスライドさせることにより上記ゴム製の摺動部材３２が摩耗した場合には、ボルト３３を取り外すことにより、新たな摺動部材３２との交換を容易に行なえるようにしてある。
【００３０】
なお、ケーシング９の側壁におけるベルトコンベヤ本体１０の各プーリ１７，１８の回転軸の支持部や、フライトコンベヤ１１の各回転軸２５，２６の支持部は、いずれも搬送対象となる粉粒体１４が周囲へ出ることのないように図示しないシール機構を備えるようにしてある。
【００３１】
上記構成としてある本発明の粉粒体搬送用ベルトコンベアを用いて粉粒体１４の搬送を行う場合には、回転駆動装置２０の運転により、ベルトコンベア本体１０のコンベアベルト１３をヘッドプーリ１８とテールプーリ１７との間にて循環移動させると共に、回転駆動装置３１を運転させて、フライトコンベヤ１１のアタッチメントチェーン２９をテール側とヘッド側の各チェーンスプロケット２７と２８の間で循環移動させて、該アタッチメントチェーン２９のトラフィック側に取り付けてある各フライト１２を、ケーシング内底面９ａに沿ってヘッド側へ順次移動させるようにしておく。
【００３２】
この状態にて、供給装置１５より、搬送すべき粉粒体１４を投入口９ｂを通してケーシング９内に落下投入すると、該投入された粉粒体１４は、上記循環移動させられているコンベヤベルト１３のトラフィック側ベルト１３ａ上に載置されてヘッド側へ搬送された後、該コンベヤベルト１３がヘッドプーリ１８に沿って上下方向に反転するときに落下させられて、排出口９ｃを通してヘッドシュート１６へ落下排出させられる。その後、上記ヘッドプーリ１８に沿って反転させられたコンベヤベルト１３がヘッド側端部にてベルトクリーナにて振動させられることにより、該コンベヤベルト１３の表面に付着している粉粒体１４も落下させられて、上記排出口９ｃよりヘッドシュート１６へ導かれるようになる。
【００３３】
上記ベルトクリーナによっても除去しきれないようなコンベヤベルト１３の表面に付着する粉粒体１４の微粉は、リターン側ベルト１３ｂの長手方向の不特定の位置で剥がれ落ちることがあり、この場合、剥落物１４ａは、ケーシング内底面９ａにおけるガイドレール３４の間の領域に受けられるようになる。
【００３４】
この際、上記ケーシング９の内底部では、フライトコンベヤ１１が駆動されていて、該フライトコンベヤ１１のトラフィック側のフライト１２が、ケーシング９の長手方向のほぼ全長に亘り内底面９ａに沿ってヘッド側方向へ順次移動させられているため、上記ケーシング内底面９ａに受けられた剥落物１４ａは、長手方向のいずれの部分でリターン側ベルト１３ｂの表面より剥がれ落ちた場合であっても、上記フライトコンベヤ１１のヘッド側へ移動する各フライト１２によりかき集められると共に、当該フライト１２によりヘッド側へ移送され、その後、フライト１２がヘッド側端部に達した時点で排出口９ｃを通してヘッドシュート１６へ落下排出されるようになる。
【００３５】
上記各フライト１２による剥落物１４ａの収集が行われるときに、該各フライト１２における摺動部材３２の取り付け部以外の部分では、該各フライト１２の突出端部とケーシング内底面９ａとの隙間に上記剥落物１４ａが入り込むが、この剥落物１４ａは粉粒体１４の微粉であるため、この粉粒体１４の微粉がライナとして作用させられるようになり、このため、上記フライト１２及びケーシング内底面９ａの摩耗が低減されるようになる。
【００３６】
このように、上記本発明の粉粒体搬送用ベルトコンベヤによれば、ベルトコンベヤ本体１０のリターン側ベルト１３ｂの表面から剥がれ落ちる剥落物１４ａを、フライトコンベヤ１１により収集させることができると共に、ヘッド側へ移送させて上記剥落物１４ａを上記ベルトコンベヤ本体１０で搬送される他の粉粒体１４と同様に排出口９ｃよりヘッドシュート１６へ落下排出させることができるため、上記剥落物１４ａの回収を容易に行うことができ、このため搬送対象である粉粒体１４の回収率を高めて、損失を抑制することができる。
【００３７】
又、上記において、フライトコンベヤ１１における或る一つのフライト１２により収集される剥落物１４ａは、当該フライト１２と、先行するフライト１２の間に落下する剥落物１４ａのみであるため、各フライト１２は高さ寸法の小さいものとすることが可能になり、したがって、フライトコンベヤ１１の高さ寸法を抑えることができることから、本発明の粉粒体搬送用ベルトコンベヤを全体的にコンパクトなものとすることができる。
【００３８】
更に、上記リターン側ベルト１３ｂの表面からの剥落物１４ａは、フライトコンベヤ１１のみによって回収すると同時にヘッドシュート１６へ導くことができるため、外部に他の回収機構を設ける必要をなくすことができ、このことからも全体構成をコンパクト化することができる。
【００３９】
上記本発明の粉粒体搬送用コンベヤにおいては、特許文献１及び特許文献２で示したような洗浄水の必要はなく、したがって、上記洗浄水を用いた場合に必要となる廃水処理設備も設けなくてよく、上記洗浄水のコスト及び処理コスト等のランニングコストを不要とすることができる。
【００４０】
更に又、ベルトコンベヤ本体１０及びフライトコンベヤ１１は、共にケーシング９内に収納するようにしてあるため、搬送すべき粉粒体１４の周囲への飛散を防止することができて、作業環境の悪化を未然に防止することができると共に、フロア等の清掃作業を不要にできる。
【００４１】
なお、本発明は上記実施の形態のみに限定されるものではなく、傾斜角度は任意に設定してよいこと、ケーシング９の上面における長手方向の複数個所に投入口９ｂを設けて複数の粉粒体１４の供給装置１５を取り付けるようにしてもよいこと、粉粒体１４の供給装置１５は、投入口９ｂを通してケーシング９内のコンベヤベルト１３上に受けられるように粉粒体１４を供給できれば、いかなる形式のものを用いてもよいこと、ベルトコンベヤ本体１０のヘッドプーリ１８の回転軸に、ケーシング９の上側に設けた回転駆動装置２０を、動力伝達機構を介し接続した構成として示したが、ヘッドプーリ１８とテールプーリ１７との間でコンベヤベルト１３を循環移動させることができれば、回転駆動装置２０はいかなる個所に設置してもよく、又、動力伝達機構を介さずに回転駆動装置２０をヘッドプーリ１８の回転軸に直接取り付けるようにしてもよく、更に、回転駆動装置２０をテールプーリ１７側に接続して該テールプーリ１７の回転駆動により上記コンベヤベルト１３を循環移動させるようにしてもよいこと、フライトコンベヤ１１は、ケーシング９の一側に配設した回転駆動装置３１の出力軸３１ａを、テール側チェーンスプロケット２７の回転軸２５に取り付けたものとして示したが、回転駆動装置３１の設置個所は自在に設定してよく、この場合、上記回転駆動装置３１と回転軸２５との間に動力伝達機構を介在させるようにすることは任意であり、又、回転駆動装置３１を、ヘッド側のチェーンスプロケット２８の回転軸に直接あるいは動力伝達機構を介して接続するようにしてもよいこと、フライト１２は、長手方向の中央部を循環方向に対して多少後退させた平面形状略Ｖ字型として、該フライト１２のヘッド側への移動に伴って収集されるケーシング内底面９ａの剥落物１４ａを、ケーシング９の幅方向の中央部付近に寄せながらヘッド側へ移送させるようにすることも可能なこと、フライト１２は、トラフィック側のアタッチメントチェーン２９と一緒にヘッド側へ移動することによりケーシング内底面９ａへの落剥物１４ａを収集できるように、突出端部がケーシング内底面９ａに近接するようアタッチメントチェーン２９の外周方向へ突出する形状としてあれば、断面形状をＬ字型以外としてもよいこと、フライト１２に取り付ける摺動部材３２は、ガイドレール３４上にてスライドさせるときに、該ガイドレール３４側の摩耗を抑制できるようにガイドレール３４よりも軟らかい素材であれば、樹脂等、ゴム製以外の材質のものとしてもよいこと、フライト１２の長手方向の全長に亘り摺動部材３２を取り付けるようにすることも可能なこと、フライトコンベヤ１１は、ベルトコンベヤ本体１０による粉粒体１４の搬送時に生じる剥落物１４ａの量に応じて間欠運転させるようにしてもよいこと、その他本発明の要旨を逸脱しない範囲内において種々変更を加え得ることは勿論である。
【００４２】
【発明の効果】
以上述べた如く、本発明の粉粒体搬送用ベルトコンベヤによれば、一端側に投入口を備え且つ他端部に排出口を備えたケーシング内の上部領域に、上記投入口より投入される粉粒体を上記排出口へ搬送できるようにしてあるベルトコンベヤ本体を設け、且つ該ベルトコンベヤ本体の下方となる上記ケーシングの長手方向の全長に亘る下部領域に、ケーシング内底面に沿ってフライトを排出口側へ移動させることができるようにしてあるフライトコンベヤを設けて、上記ベルトコンベヤ本体のリターン側ベルト表面よりケーシング内底面へ落下する剥落物を上記フライトコンベヤにより上記排出口へ移送できるようにしてなる構成としてあるので、以下の如き優れた効果を発揮する。
（１）  ベルトコンベヤ本体のリターン側ベルトから剥がれ落ちる剥落物を、フライトコンベヤによりかき集めてヘッド側へ移送させることができるため、上記剥落物をベルトコンベヤにて搬送される他の粉粒体と同様に回収することができることから、搬送対象である粉粒体の損失を抑制することができる。
（２）  フライトコンベヤの一つのフライトでは、当該フライトと先行するフライトの間に落下する剥落物のみを集めて移送できればよいため、各フライトの高さ寸法を小さくでき、したがって、フライトコンベヤの高さ寸法を抑えて粉粒体搬送用ベルトコンベヤを全体的にコンパクトなものとすることができる。
（３）  上記リターン側ベルトからの剥落物は、フライトコンベヤのみによって回収することができるため、外部に他の回収機構を設ける必要をなくすことができ、このことからも全体構成をコンパクト化することができる。
（４）  又、洗浄水の必要はなく、したがって、洗浄水を用いた場合に必要となる廃水処理設備も不要にできることから、上記洗浄水のコスト及び処理コスト等のランニングコストをなくすことができる。
（５）  ベルトコンベヤ本体及びフライトコンベヤは、共にケーシング内に収納してあるため、粉粒体の搬送時に該粉粒体が周囲へ飛散することを防止できて、作業環境の悪化を未然に防止することができると共に、フロア等の清掃作業を不要にできる。
（６）  更に、フライトコンベヤを、ケーシングの一端部及び他端部における下部位置にそれぞれ平行に設けた回転軸と、該各回転軸の両端側でベルトコンベヤのリターン側ベルトの幅方向両端部よりも外側となる位置にそれぞれ一体に取り付けたチェーンスプロケットと、上記各回転軸の両端側のチェーンスプロケット間に無端状にそれぞれ掛け回したアタッチメントチェーンと、該各アタッチメントチェーンの周方向所要間隔位置に両端部を取り付けたフライトとからなる構成とすることにより、ケーシング内底面に沿ってフライトを移動させることができるフライトコンベヤを容易に構成できると共に、ベルトコンベヤのリターン側ベルトより落下する剥落物が、上記フライトコンベヤのフライトを循環移動させるためのアタッチメントチェーン上に落下する虞を抑制できる。
（７）  又、ケーシングの内底面における幅方向所要位置に、ケーシングの長手方向に延びるガイドレールを設置し、且つフライトの両端側における上記ガイドレールと対応する位置に、上記ガイドレールに摺接させるため該ガイドレールよりも軟らかい素材製としてある摺動部材を、上記フライトよりも突出させて着脱可能に取り付けた構成とすることにより、フライトがケーシングの内底面に直接接触、摺動して該フライトやケーシングの内底面が摩耗する虞を防止できる。
【図面の簡単な説明】
【図１】本発明の粉粒体搬送用ベルトコンベヤの実施の一形態を示すもので、（イ）は切断概略側面図、（ロ）は（イ）のＡ−Ａ方向矢視拡大図である。
【図２】図１のフライトコンベヤを拡大して示すもので、（イ）は側面図、（ロ）は（イ）のＢ部の詳細図、（ハ）は（ロ）のＣ−Ｃ方向矢視図である。
【図３】粉粒体の搬送に用いられている従来の傾斜型のベルトコンベヤの一例の概略を示す側面図である。
【符号の説明】
９  ケーシング
９ａ  ケーシング内底面
９ｂ  投入口
９ｃ  排出口
１０  ベルトコンベヤ本体
１１  フライトコンベヤ
１２  フライト
１３  コンベヤベルト
１３ａ  トラフィック側ベルト
１３ｂ  リターン側ベルト
１４  粉粒体
１４ａ  剥落物
２５  回転軸
２６  回転軸
２７  チェーンスプロケット
２８  チェーンスプロケット
２９  アタッチメントチェーン
３２  摺動部材
３４  ガイドレール
【図１】
2004307090.tif 000003
【図２】
2004307090.tif 000004
【図３】
2004307090.tif 000005